(57)【特許請求の範囲】
【請求項１】
断熱箱体内に、ファンケーシングと、このファンケーシング内に収納された冷却器と、この冷却器に通風するファンと、このファン保護用のファンガードと、前記ファンの霜取用ヒータとを備えた冷却装置において、前記ヒータは前記ファンケーシングに設けられた固定部材によって固定され、かつ前記ヒータは前記ファンと前記ファンガードとの間に位置し、前記固定部材は、前記ファンによる冷気の吐出方向に対し所定の角度の面を有することを特徴とする冷却装置。
【発明の詳細な説明】
【０００１】
【発明の属する技術分野】
この発明は、断熱体内に設けられた冷却装置に関するものである。
【０００２】
【従来の技術】
この種の冷却装置は、第１の従来例として、例えば特開平７−７１８６２号公報（Ｆ２５Ｄ２１／０８）の如く、断熱壁にて構成された貯蔵室内に冷気を供給して冷却する冷却装置において、冷却装置内に冷却器と、冷却器に通風するファンと、このファンの霜取用ヒータを設け、前記ヒータは吐出口より離間してファンの下部に取り付けたものがある。
【０００３】
また、冷却装置の他の第２の従来例を、図４乃至図６により説明する。図４は、冷却貯蔵庫１の冷却装置２部分の断面図、図５はその斜視図、図６は図５のＢ−Ｂ線断面図を示している。冷却装置２は、断熱壁にて構成された冷却貯蔵庫１内に冷却器７と、電動機２０と、その電動機２０に取り付けられた複数枚の羽根を持つ鋼板製のファン８と、そのファンと電動機との周囲に設けられたファンケーシング４と、ファン８用の霜取用ヒータ１０を有し、電動機２０の運転により吸込口１１から吸込まれて前記冷却器７と熱交換した冷気を吐出口１２から前記冷却貯蔵庫１内に強制循環する。ファン８に付着した霜を融解するための霜取用ヒータ１０は、略Ｗ字の形状をしており、この霜取用ヒータ１０の中央部にある屈曲部１０Ａ、１０Ａをファン８の略正面に設けられた金属ワイヤ製のファンガード１３の差込部１３Ａ、１３Ａに差込み、さらに薄肉の鋼板性の２個の固定部材２２を屈曲させて霜取用ヒータ１０の両端部１０Ｂ、１０Ｂをファンガード１３のワイヤに固定して、この霜取用ヒータ１０を前記ファン８の略正面に位置させている。
【０００４】
【発明が解決しようとする課題】
ところで、冷却装置のファンは冷気によって冷やされるため、貯蔵室内の湿気が霜となって付着するので、適宜除霜を行う必要がある。そのために、上記第１の従来例においては送風機の下部に霜取用ヒータを設けて、ファンに付着した霜を融解するようにしている。しかしながら、ファンは除霜時に停止しているため、霜取用ヒータからの距離が遠い位置で停止している羽根もあり、そのような部分には霜取用ヒータの熱がほとんど届かず、ファンの霜が完全に融解しないうちに冷却装置の冷却運転を開始してしまうこともあり、ファンのバランスを崩し、ファンの破損や電動機の故障等を招くことがあった。そのうえ、貯蔵室内の空気温度が低いため、甚だしいときは徐々に氷となって成長し、つららになってファン、ファンガードまたはファンケーシング等に付着したままになることもあった。そのため、従来は、霜取用ヒータの発熱容量を大きくすることにより、ファンおよびファンケーシングの表面の温度を水の凝固点以上に上昇させて除霜し、その除霜水を下部に設けられた露受板で受け、排水ホースから外部に排水するようにしていた。しかし、この方法では、霜の付着したファンと霜取用ヒータとの距離があるため除霜時間が長く、その間の霜取用ヒータの熱によって冷却貯蔵庫内の温度が上昇し、食品等の品質の低下を招いていた。
【０００５】
一方、上記第２の従来例においては、霜取用ヒータ１０は固定部材２２によりファンガード１３に固定されているため、ファン８の点検や交換の際、ファンガード１３と一緒に霜取用ヒータ１０を外し、同時にその電源線を図示しない電装箱からも外す必要があった。このように、ファン８の点検や交換の際に、回転物であるファン８の周囲の電源線の固定に細心の注意を払う必要があるため、冷却装置２のメンテナンスの面から不便であった。
【０００６】
この発明は上記の問題を解決するためになされたもので、貯蔵室内に設置された冷却装置において霜によるファンの破損や電動機の故障を防止し、貯蔵室内の食品に与える影響を回避するとともに、点検、補修作業時の作業性を高めることを目的とする。
【０００７】
【課題を解決するための手段】
この発明の冷却装置は、断熱箱体内に、ファンケーシングと、このファンケーシング内に収納された冷却器と、この冷却器に通風するファンと、このファン保護用のファンガードと、前記ファンの霜取用ヒータとを備えた冷却装置であって、前記ヒータは前記ファンケーシングに設けられた固定部材によって固定され、かつ前記ヒータは前記ファンと前記ファンガードとの間に位置し、前記固定部材は、前記ファンによる冷気の吐出方向に対し所定の角度の面を有するものである。
【０００８】
本発明によれば、霜取用ヒータとファンとの距離が近接し、霜取用ヒータの熱がファンまで届きやすくなり、ファンに付着した霜を完全に融解させることができる。したがって、融解した除霜水が再度凝結し、つららとなってファンに付着することがなく、ファンの破損や電動機の故障を防止できる。そして、ファンと霜取用ヒータとの距離が近いので効率よく除霜でき、除霜時間が短くなるため、その間のヒータの熱による庫内の温度上昇が少なく、貯蔵室内の食品等の品質の低下を生じない。また、前記ヒータはファンケーシングに設けられた固定部材によって固定されているので、固定部材によりヒータの熱が熱輻射の他、熱伝導によっても伝わるため、ファンケーシングに付着した霜を除くこともできる。
【０００９】
また、前記固定部材は前記ファンによる冷気の吐出方向に対し所定の角度の面を有するものであるから、固定部材が冷気の吐出方向を規制し、貯蔵室内の隅々にまで届き、その温度を均質にすることができ、食品等の品質を適正に維持することができる。
【００１１】
【発明の実施の形態】
以下、本発明の実施の形態を図面に基づいて説明する。図１は本発明を適用した冷却装置の実施例として、冷却貯蔵庫１の冷却装置２部分の断面図を示している。冷却貯蔵庫１は、例えばプレハブ冷凍・冷蔵庫であり、複数枚のプレハブ断熱パネルを組立てることにより構成され、食品等を急速に冷却する急速冷却庫として使用されるものである。この冷却貯蔵庫１の庫内３の天井面３Ａとなる天壁１Ａの下面に冷却装置２が取り付けられている。冷却装置２は鋼板製のファンケーシング４と、このファンケーシング４内に収納され、ファンケーシング４の天板６にネジ止めされた冷却器７と、この冷却器７に設けられた冷却器除霜用の電気ヒータ５と、庫内冷却用の鋼板製のファン８と、ファンケーシング４の下端部に取り付けられた鋼板製の露受板９と、この露受板９に設けられた発熱体Ｈなどから構成されている。ファンケーシング４には冷却器７側に吸込口１１が、ファン８側に吐出口１２がそれぞれ開口形成されている。また、この吐出口１２の外側には金属ワイヤ製のファンガード１３が取り付けられている。
【００１２】
下面の露受板９には排水口１５が形成され、排水時の凍結を防止するためにその外周部に樹脂性の発熱体１８が巻かれた排水ホース１４が、露受板９の排水口１５に連通接続されて庫外に引き出されている。そして、この冷却装置２はファンケーシング４の四隅にネジ止めされたハンガー１６，１６および１７、１７によって天井面３Ａに取り付けられている。
【００１３】
次に、図２を参照して本発明の実施例の冷却装置２を説明する。図２はファンガード１３側から見た冷却装置２の斜視図である。鋼板性のファンケーシング４は、冷却器７、電動機２０およびファン８を内部に収容しており、略４隅に脚状の取付け部を有する金属ワイヤ製のファンガード１３がファンケーシング４の吐出口１２側にネジ止めされて固定されている。ファンガード１３は、金属製ワイヤをその交叉部でスポット溶接し組立てられたもので網目状であり、冷却貯蔵庫１の庫内３で食品等の搬入や搬出を行う作業者のファン８の回転による怪我や、障害物によるファンの破損を防止するとともに、ファンケーシング４から吐出する冷気の流れを阻害しないようにしている。そして、ファンケーシング４に固定された霜取用ヒータ固定部材１９、１９により支持された霜取用ヒータ１０を略Ｗ字の形状とすることによって、この霜取用ヒータ１０の中央部１０Ｃをファン８の略正面に位置させ、その中央部を加熱できるようにしている。また、ヒータ１０の両端の電源線は冷却装置２にある図示しない電装箱内の制御回路の所定部分に接続されている。ファン８は、ファンケーシング４の上部の図示しない取付板に固定された電動機２０に回動自在に取り付けられている。また、ファンケーシング４に冷気の吐出口１２を開口形成し、その開口の縁にはバーリング２１を施し、冷気の流れが円滑になるようにしている。
【００１４】
次に図３を参照してこの霜取用ヒータ１０を固定する霜取用ヒータ固定部材１９、１９を説明する。図３は図２のＡ−Ａ線断面図である。霜取用ヒータ固定部材１９、１９は鋼板製で、その一端にフランジ１９Ａ、１９Ａを有しそのフランジ１９Ａ、１９Ａによりファン８の周囲のファンケーシング４にスポット溶接される。一方、他端部に略Ｊ字形状部１９Ｂ、１９Ｂを有し、略Ｗ字の形状をしている霜取用ヒータ１０をその略Ｊ字形状部１９Ｂ、１９Ｂにて挟持しており、さらに、ファンケーシング４に対して略直立した面１９Ｃを有し、ファン８の周囲にこの霜取用ヒータ固定部材１９、１９が複数個固定されている。
【００１５】
以上の構成で、冷却運転を開始すると、図示しないコンプレッサが駆動され、図示しないコンデンシングユニットから冷却器７に冷媒が供給され、ファン８によって、冷却器７は冷却作用を発揮する。ファン８の回転により、吸込口１１からは庫内３の冷気が吸引され、ファンケーシング４内の冷却器７と熱交換した後、吐出口１２から庫内に吐出される。
【００１６】
この冷却運転を続けていると、冷却器７およびファン８に霜が付着するため、定期的に霜取運転を行う必要があり、冷却器７への冷媒供給を停止するとともに、冷却器７に設けられた除霜用電気ヒータ５に通電、発熱させる。冷却器７に付着した霜は融解し、除霜水や氷塊となって露受板９上に落下する。一方、ファン８に付着した霜は霜取用ヒータ１０により除霜され、ファンケーシング４の下部に置かれた露受板９上に落下する。
【００１７】
本実施例では、霜取用ヒータ１０は略Ｗ字の形状をしており、固定部材１９、１９によりその発熱部はファン８の略正面に位置し、しかも前記第２の従来例と異なり霜取用ヒータ１０がファンガード１３に固定されていないから、霜取用ヒータ１０とファン８との距離がより近接し、霜取用ヒータ１０の熱がファン８に届きやすくなり、ファン８に付着した霜を完全に融解させることができる。したがって、ファン８に付着する霜や氷の量に偏りを生じてファン８のバランスを崩すことがなく、その破損や電動機２０の故障を防止できる。また、霜の付着したファン８と霜取用ヒータ１０との距離が近接しているため、除霜時間を短くすることができ、その間の霜取用ヒータ１０の熱による冷却貯蔵庫１内の温度上昇が少なくなり、食品等の品質低下を生ずることもない。また、小さな発熱容量のもので済み、コストが安くなる。
【００１８】
次に、霜取用ヒータ１０およびファンガード１３の固定方法を図２および図３により説明する。霜取用ヒータ固定部材１９、１９は他端部に略Ｊ字形状部１９Ｂ，１９Ｂを有しているので、略Ｗ字の形状をしている霜取用ヒータ１０をファン８の前面上方から差し込んでから、霜取用ヒータ１０の両端側直線部１０Ｂ、１０Ｂを霜取用ヒータ固定部材１９、１９の略Ｊ字形状部１９Ｂ、１９Ｂに前面方向に向けて押し込むことにより挟持させる。その後、霜取用ヒータ１０の電源線を冷却装置２内にある図示しない電装箱内の制御回路の所定部分に接続し、ファンガード１３の略４隅の脚状部をファンケーシング４にネジ止めする。このように簡単な作業で霜取用ヒータ１０の固定作業が完了する。
【００１９】
逆に、ファン８の交換や電動機２０の点検、補修をする場合、霜取用ヒータ１０は霜取用ヒータ固定部材１９、１９によりファンケーシング４に固定されているため、ファンガード１３を外しても霜取用ヒータ１０が一緒に外れてくることはないので、霜取用ヒータ１０の電源線を図示しない電装箱から外す必要がない。即ち、ファンケーシング４からファンガード１３を外す作業をするだけでファン８の交換や電動機２０の点検をすることができ、ファン８の点検、補修等のメンテナンスの面からも便宜となる。
【００２０】
また、霜取用ヒータ固定部材１９、１９は、前記ファン８による冷気の吐出方向に対し所定の角度をもたせた面、即ち、本実施例ではファンケーシング４に対して略直立した面１９Ｃ、１９Ｃを有しており、ファンケーシング４に複数個固定されているため、ファン８による冷気に方向性を持たせ、冷却貯蔵庫１内の隅々まで冷気を行き渡らせることができるようにしている。本実施例に示したプレハブ冷凍・冷蔵庫は一般に数坪から数十坪にもおよぶものが使用されており、冷気に方向性を持たせ、冷却装置の設置場所に係わらず隅々まで冷気を届かせることができるようにしている。すなわち、本発明の冷却装置を中央部に設けた場合に霜取用ヒータ固定部材１９、１９の面を直立させて用いることによって冷却貯蔵庫１の庫内３の温度分布が均一になるので、食品等の品質を長期間適正に維持することができるようにしている。
【００２１】
尚、冷却装置２が冷却貯蔵庫１の中央部でなく隅部に置かれている場合は、上記と異なり、冷気の吐出方向をファンケーシング４に対して略直立した面１９Ｃ、１９Ｃとしない方が冷却貯蔵庫１の庫内３の空気温度は均質になる。即ち、上記霜取用ヒータ固定部材１９、１９の面１９Ｃ、１９Ｃとファンケーシング４のなす角度を適宜変えて、前記ファン８による冷気の吐出方向に対し所定の角度をもたせると、冷気の風向きを所定の方向に吐出させることができ、冷却貯蔵庫１内の隅々まで冷気を行き渡らせることができる。
【００２２】
【発明の効果】
以上のように、本発明によれば、霜取用ヒータとファンとの距離が近接し、霜取用ヒータの熱がファンまで届きやすくなり、ファンに付着した霜を完全に融解させることができるため、ファンの破損や電動機の故障等を防止できる。そして、ファンと霜取用ヒータとの距離が近いので効率よく除霜できるため、除霜時間が短くなり、その間のヒータの熱による庫内の温度上昇が少なく、食品等の品質の低下を生じない。
【００２３】
また、前記固定部材は前記ファンによる冷気の吐出方向に対し所定の角度の面を有するものであるから、固定部材が冷気の吐出方向を規制し、貯蔵室内の温度を均質にすることができ、食品等の品質を適正に維持することができる。
【図面の簡単な説明】
【図１】この発明の実施例を示す冷却貯蔵庫の断面図である。
【図２】この発明の実施例の冷却装置の斜視図である。
【図３】図２のＡ−Ａ線断面図である。
【図４】従来例を示す冷却貯蔵庫の断面図である。
【図５】従来例の冷却装置の斜視図である。
【図６】図５のＢ−Ｂ線断面図である。
【符号の説明】
１  冷却貯蔵庫
２  冷却装置
４  ファンケーシング
７  冷却器
８  ファン
１０  霜取用ヒータ
１０Ｂ  直線部
１０Ｃ  中央部
１２  吐出口
１９  霜取用ヒータ固定部材
１９Ａ  フランジ
１９Ｂ  略Ｊ字形状部
１９Ｃ  面
２２  固定部材
【図１】
0003945943.tif 000002
【図２】
0003945943.tif 000003
【図３】
0003945943.tif 000004
【図４】
0003945943.tif 000005
【図５】
0003945943.tif 000006
【図６】
0003945943.tif 000007